(57)【要約】【課題】撮像レンズに含まれるレンズの光軸調整において、微調整を可能とし、専用治具を用いることなしにシフト調整を行うことができる撮像レンズを提供する。【解決手段】撮像レンズ１００は、調整レンズ１１４ｂ〜１１４ｅの光軸をシフト調整させる機構を備える。調整レンズ枠１２６を備え、が、調整レンズ１１４ｂ〜１１４ｅを支持する。調整レンズ枠１２６は、撮像レンズ１００の光軸１０２に対して垂直方向に変形可能なレンズ保持部１３０を含む。レンズ保持部１３０を変形させるための調整部材１４０は、レンズ保持部１３０を変形させた状態で調整レンズ枠１２６に対して固定されるように構成される。【選択図】図１
2007298864.tif 000002
【特許請求の範囲】
【請求項１】
複数のレンズを含む撮像レンズであって、前記複数のレンズのうちの調整レンズの光軸をシフト調整させる機構を備えた撮像レンズにおいて、
前記調整レンズを支持する調整レンズ枠を備え、前記調整レンズ枠は、前記光軸に対して垂直方向に変形可能なレンズ保持部を含んでおり、
さらに、前記レンズ保持部を変形させるための調整部材を備え、前記調整部材は、前記レンズ保持部を変形させた状態で前記調整レンズ枠に対して固定される、
ことを特徴とする撮像レンズ。
【請求項２】
前記調整レンズ枠は、前記レンズ保持部を前記光軸に対して垂直方向に変形させるための複数の円周状窓部を含むことを特徴とする、請求項１に記載の撮像レンズ。
【請求項３】
前記円周状窓部は、開角度が６０度から８０度であるように構成され、前記円周状窓部を設ける個数は４個であることを特徴とする、請求項２に記載の撮像レンズ。
【請求項４】
前記調整レンズ枠は、前記調整部材を固定するための複数の円周状斜面部を含み、前記調整部材はビスであり、前記ビスが前記円周状斜面部に固定されることによって前記レンズ保持部を変形させるように構成され、前記ビスの中心軸線は、前記光軸に対して平行になるように構成されることを特徴とする、請求項１に記載の撮像レンズ。
【請求項５】
前記調整レンズ枠は、前記レンズ保持部を前記光軸に対して垂直方向に変形させるための複数の円周状窓部を含み、前記円周状斜面部の中心軸線は、前記円周状窓部の半径方向の幅の中心線上に配置されることを特徴とする、請求項４に記載の撮像レンズ。
【請求項６】
前記調整レンズ枠をレンズ鏡筒に対して固定するための複数の固定部が、前記円周状窓部の外側に設けられ、前記調整部材を前記調整レンズ枠に対して固定する位置は、前記固定部と前記光軸とを結ぶ直線上にあることを特徴とする、請求項５に記載の撮像レンズ。
【請求項７】
前記調整レンズ枠は、前記調整部材を固定するための複数のねじ穴を含み、前記調整部材は止めねじであり、前記止めねじが前記ねじ穴にねじ込まれることによって前記レンズ保持部を変形させるように構成され、前記止めねじの中心軸線は、前記光軸に対して垂直になるように構成されることを特徴とする、請求項１に記載の撮像レンズ。
【請求項８】
前記調整レンズ枠をレンズ鏡筒に対して固定するための複数の固定部が、前記調整レンズ枠の外側部分に設けられ、前記調整部材を前記調整レンズ枠に対して固定する位置は、円周方向において、前記１つの固定部と前記他の固定部との中間にあることを特徴とする、請求項７に記載の撮像レンズ。
【発明の詳細な説明】
【技術分野】
【０００１】
本発明は、光軸シフト調整機構を備えた撮像レンズに関するものである。特に、本発明は、レンズ部分とカメラ本体が着脱可能な光学機器などにおいて、レンズ機構部の光軸シフト調整を可能にする機構を備えた撮像レンズに関する。
【背景技術】
【０００２】
従来のレンズの組み立て調整方法においては、レンズを保持する保持部材同士の連結部に光軸を調整するための嵌合すきまを設け、レンズを光軸に対して垂直方向にシフト調整な構造を備えている（特許文献１参照）。
【０００３】
また、従来の光軸調整方法においては、レンズを光軸に対して垂直方向にシフト調整する際に、レンズ枠を保持してシフト移動させるための治具と、レンズ枠を基準面に押し当てる治具を用いている（特許文献２参照）。
【０００４】
また、従来のレンズシフト機構においては、レンズユニットを光軸に対して垂直方向にシフト調整する際に、レンズ取り付け部を安定させる構造を用いている（特許文献３参照）。
【０００５】
その他の従来技術として、レンズユニットを光軸に対して垂直方向にシフト調整する際に、基準面に対してチルト方向のずれを無くすために、セムスねじ（ばね座金一体ビス）のばね座金による圧力を使用する機構が知られている。
【０００６】
（特許文献のリスト）
【特許文献１】特開平１０−１６０９９３号公報
【特許文献２】特開２００４−３０９８１８号公報
【特許文献３】特開２００３−３１５９１７号公報
【発明の開示】
【発明が解決しようとする課題】
【０００７】
従来のレンズの組み立て調整機構においては、シフト調整を行う場合に、微調整が困難となる課題があった。また、この調整機構では、レンズホルダーを地板に押し付ける押さえばねが必要であって、複雑な構造となる課題があった。また、従来の光軸調整方法においては、レンズ枠を保持してシフト移動させるための治具と、レンズ枠を基準面に押し当てる治具が必要となる課題があった。
【０００８】
また、従来のレンズシフト機構においては、レンズユニットを基準面に対して安定させるための押し圧をかけるコイルばね構造が必要となる課題があった。すなわち、従来の調整機構においては、光軸調整（シフト調整）を行う時に、微調整が困難であり、レンズを平行移動させるための専用治具が必要となり、或いは、レンズユニットを基準面に対して押し圧をかけて安定させるようなばね構造が必要となる課題があった。
【０００９】
本発明の目的は、撮像レンズに含まれるレンズの光軸調整において、従来困難とされていた微調整をすることができるような構造を備えた光軸シフト調整機構付きの撮像レンズを提供することにある。また、本発明の他の目的は、撮像レンズに含まれるレンズをシフト調整するための専用治具を用いることなしにシフト調整を行うことができる光軸シフト調整機構付きの撮像レンズを提供することにある。さらに、本発明の他の目的は、基準面に対して押し圧をかける構造を必要としない、簡易な構造構造を備えた光軸シフト調整機構付きの撮像レンズを提供することにある。
【課題を解決するための手段】
【００１０】
本発明は、複数のレンズを含む撮像レンズであって、前記複数のレンズのうちの調整レンズの光軸をシフト調整させる機構を備えた撮像レンズにおいて、前記調整レンズを支持する調整レンズ枠を備え、前記調整レンズ枠は、前記光軸に対して垂直方向に変形可能なレンズ保持部を含んでおり、さらに、前記レンズ保持部を変形させるための調整部材を備え、前記調整部材は、前記レンズ保持部を変形させた状態で前記調整レンズ枠に対して固定されることを特徴とする。この構成により、レンズをシフト調整するための専用治具を用いることなく、レンズの光軸の微調整を容易に行うことができる。
【００１１】
本発明の撮像レンズにおいて、前記調整レンズ枠は、前記レンズ保持部を前記光軸に対して垂直方向に変形させるための複数の円周状窓部を含むように構成するのがよい。本発明の撮像レンズにおいては、前記円周状窓部は、開角度が６０度から８０度であるように構成され、前記円周状窓部を設ける個数は４個であるのが好ましい。このように構成された本発明の撮像レンズでは、光軸シフト調整機構は簡易な構造である。
【００１２】
本発明の撮像レンズにおいて、前記調整レンズ枠は、前記調整部材を固定するための複数の円周状斜面部を含み、前記調整部材はビスであり、前記ビスが前記円周状斜面部に固定されることによって前記レンズ保持部を変形させるように構成され、前記ビスの中心軸線は、前記光軸に対して平行になるように構成されるのが好ましい。この構成により、簡単な調整作業によって、レンズの光軸調整における微調整を任意の方向に関して確実に行うことができる。
【００１３】
本発明の撮像レンズにおいて、前記調整レンズ枠は、前記レンズ保持部を前記光軸に対して垂直方向に変形させるための複数の円周状窓部を含み、前記円周状斜面部の中心軸線は、前記円周状窓部の半径方向の幅の中心線上に配置されるのが好ましい。本発明の撮像レンズにおいて、前記調整レンズ枠をレンズ鏡筒に対して固定するための複数の固定部が、前記円周状窓部の外側に設けられ、前記調整部材を前記調整レンズ枠に対して固定する位置は、前記固定部と前記光軸とを結ぶ直線上にあるのが好ましい。このように構成された本発明の撮像レンズでは、光軸シフト調整機構は簡易な構造である。
【００１４】
本発明の撮像レンズにおいて、前記調整レンズ枠は、前記調整部材を固定するための複数のねじ穴を含み、前記調整部材は止めねじであり、前記止めねじが前記ねじ穴にねじ込まれることによって前記レンズ保持部を変形させるように構成され、前記止めねじの中心軸線は、前記光軸に対して垂直になるように構成されるのが好ましい。さらに、本発明の撮像レンズにおいて、前記調整レンズ枠をレンズ鏡筒に対して固定するための複数の固定部が、前記調整レンズ枠の外側部分に設けられ、前記調整部材を前記調整レンズ枠に対して固定する位置は、円周方向において、前記１つの固定部と前記他の固定部との中間にあるのが好ましい。この構成により、簡単な調整作業によって、レンズの光軸調整における微調整を任意の方向に関して確実に行うことができる。
【発明の効果】
【００１５】
本発明の撮像レンズにおいては、レンズの光軸調整において、レンズをシフト調整するための専用治具を用いることなく、微調整を容易に行うことができる。また、本発明の撮像レンズにおいては、基準面に対して押し圧をかける構造は不要なので、光軸シフト調整機構は簡易な構造である。また、本発明の撮像レンズにおいては、簡単な調整作業によって、レンズの光軸調整における微調整を任意の方向に関して確実に行うことができる。
【発明を実施するための最良の形態】
【００１６】
以下に、本発明の実施形態を図面に基づいて説明する。
（１）第１の実施形態：
最初に、本発明の第１の実施形態を説明する。図１を参照すると、４群ズームレンズとして構成された撮像レンズ１００は、レンズ系と、撮像レンズ１００の光軸１０２と、レンズ鏡筒１０４とを有する。図１において、光軸１０２より上側に示す断面図は焦点距離を短焦点側に設定した状態を示し、光軸１０２より下側に示す断面図は焦点距離を長焦点側に設定した状態を示している。本発明はズームレンズだけでなく、単焦点レンズにも適用することができる。撮像レンズ１００は、第１群レンズ系１１１と、第２群レンズ系１１２と、第３群レンズ系１１３と、第４群レンズ系１１４とを備える。第１群レンズ系１１１は前群レンズ系を構成する。第４群レンズ系１１４は後群レンズ系を構成する。それぞれのレンズ系は、１枚又は複数枚のレンズを含む。
【００１７】
第１群レンズ系１１１は第１群レンズ枠１２１に固定される。第２群レンズ系１１２は第２群レンズ枠１２２に固定される。第３群レンズ系１１３は第３群レンズ枠１２３に固定される。第４群レンズ系１１４は、後群第１レンズ１１４ａと、後群第２レンズ１１４ｂと、後群第３レンズ１１４ｃと、後群第４レンズ１１４ｄと、後群第５レンズ１１４ｅとを含む。後群第１レンズ１１４ａは後群第１レンズ枠１２４に固定される。後群第２レンズ１１４ｂ、後群第３レンズ１１４ｃ、後群第４レンズ１１４ｄ、後群第５レンズ１１４ｅは後群第２レンズ枠１２６に固定される。後群第２レンズ枠１２６は、後群第２レンズ枠固定ねじ１２８によって後群第１レンズ枠１２４に固定される。第１群レンズ枠１２１、第２群レンズ系１１２、第３群レンズ系１１３、後群第１レンズ枠１２４は、光軸１０２に沿う方向に移動可能なようにレンズ鏡筒１０４に対して組み込まれる。
【００１８】
撮像レンズ１００において、後群第２レンズ１１４ｂ、後群第３レンズ１１４ｃ、後群第４レンズ１１４ｄ、後群第５レンズ１１４ｅは、光軸をシフト調整させることができるように構成された調整レンズを構成する。後群第２レンズ枠１２６は、調整レンズを支持する調整レンズ枠を構成する。
【００１９】
図１から図５を参照すると、後群第２レンズ枠１２６は、変形しやすく、破壊しにくい弾力性がある材料でリング状に形成される。例えば、後群第２レンズ枠１２６は、ポリカーボネートなどのエンジニアリングプラスチックで形成される。後群第２レンズ枠１２６は、内周部に配置され、光軸１０２に対して垂直方向に変形可能なレンズ保持部１３０と、レンズ保持部１３０の外側に配置され、レンズ保持部１３０を変形させるための複数の円周状窓部１３２と、円周状窓部１３２の外側に配置された外周固定部１３４とを含んでいる。円周状窓部１３２は、例えば、４個の円周状窓部１３２ａ〜１３２ｄで構成される。４個の円周状窓部１３２ａ〜１３２ｄは、それぞれ開角度ＤＫが６０度から８０度であるように構成される。４個の円周状窓部１３２ａ〜１３２ｄは、円周方向に等しい角度のピッチ間隔で配置されるのが好ましい。
【００２０】
円周状窓部１３２ａ〜１３２ｄの半径方向の幅ＷＲは、例えば、１．２ｍｍで形成することができる。図示した実施形態において、円周状窓部を設ける個数は４個であるけれども、円周状窓部を設ける個数は２個であってもよいし、３個であってもよいし、或いは、５個以上であってもよい。円周状窓部を設ける個数は偶数であるのが好ましい。円周状窓部を設ける個数は４個であるのが好ましい。４個の円周状窓部を設けることにより、任意の方向に光軸を微細にシフト調整させることができる。
【００２１】
後群第２レンズ枠１２６は、調整部材１４０を固定するための複数の円周状斜面部１３６を含む。円周状斜面部１３６は、例えば、４個の円周状斜面部１３６ａ〜１３６ｄで構成される。４個の円周状斜面部１３６ａ〜１３６ｄは、それぞれ上部直径ＤＵが３ｍｍであるのが好ましく、テーパ角度ＤＴが１４度であるのが好ましく、撮像レンズ１００の後方から前方に向って先細のテーパになるように形成されるのが好ましい。４個の円周状斜面部１３６ａ〜１３６ｄは、円周方向に等しい角度、すなわち９０度のピッチ間隔で配置されるのがよい。円周状斜面部１３６ａ〜１３６ｄの中心位置は、円周状窓部１３２ａ〜１３２ｄの半径方向の幅ＷＲの中心に位置した円弧上にあるのが好ましい。図示した実施形態において、円周状斜面部を設ける個数は４個であるけれども、円周状斜面部を設ける個数は３個であってもよいし、或いは、５個以上であってもよい。円周状斜面部を設ける個数は偶数であるのが好ましい。円周状斜面部を設ける個数は４個であるのが好ましい。４個の円周状窓部を設けることにより、任意の方向に光軸を微細にシフト調整させることができる。
【００２２】
図３において、光軸１０２を基準点（原点）とし、光軸１０２に垂直な平面内にＸ−Ｙ座標系（直交座標系）を定める。４個の円周状斜面部１３６ａ〜１３６ｄは、それぞれ、＋Ｙ軸上、＋Ｘ軸上、−Ｙ軸上、−Ｘ軸上に配置されるのが好ましい。円周状斜面部１３６ａ〜１３６ｄの中心軸線は、円周状窓部１３２ａ〜１３２ｄの半径方向の幅の中心線上に配置されるのが好ましい。円周状窓部１３２ａ〜１３２ｄは、調整部材１４０を円周状斜面部１３６ａ〜１３６ｄに固定することにより、レンズ保持部１３０が光軸１０２に対して垂直方向に内方に向って変形するような位置に配置される。円周状斜面部１３６ａ〜１３６ｄは、調整部材１４０を円周状斜面部１３６ａ〜１３６ｄに固定することにより、円周状斜面部１３６ａ〜１３６ｄの外側部分は変形することなく、円周状斜面部１３６ａ〜１３６ｄの内側部分は、光軸１０２の方向に変形することができる。すなわち、レンズ保持部１３０は、光軸１０２に対して垂直方向に内方に向って変形するような寸法、形状をもつように構成される。
【００２３】
後群第２レンズ枠１２６を後群第１レンズ枠１２４に対して固定するための複数の後群第２レンズ枠固定部１３８が、円周状窓部１３２ａ〜１３２ｄの外側に設けられる。後群第２レンズ枠固定部は、例えば、４個の後群第２レンズ枠固定部１３８ａ〜１３８ｄで構成される。４個の後群第２レンズ枠固定部１３８ａ〜１３８ｄは、円周方向に等しい角度、すなわち９０度のピッチ間隔で配置されるのがよい。後群第２レンズ枠固定部１３８ａ〜１３８ｄは、それぞれ、＋Ｙ軸上、＋Ｘ軸上、−Ｙ軸上、−Ｘ軸上に配置されるのが好ましい。４個の円周状斜面部１３６ａ〜１３６ｄは、それぞれ、４個の後群第２レンズ枠固定部１３８ａ〜１３８ｄと光軸１０２とを結ぶ直線上にあるのがよい。円周状斜面部１３６の数は、円周状窓部１３２の数と同じであるのが好ましい。後群第２レンズ枠固定部１３８の数は、円周状窓部１３２の数と同じであるのが好ましい。
【００２４】
後群第２レンズ枠固定ねじ１２８ａ〜１２８ｄを、それぞれ後群第２レンズ枠固定部１３８ａ〜１３８ｄに通し、後群第１レンズ枠１２４のねじ下穴にねじ締めする（セルフタップ）ことによって、後群第２レンズ枠１２６を後群第１レンズ枠１２４に対して固定することができる。図示した実施形態において、後群第２レンズ枠固定部を設ける個数は４個であるけれども、後群第２レンズ枠固定部を設ける個数は２個であってもよいし、３個であってもよいし、或いは、５個以上であってもよい。後群第２レンズ枠固定部を設ける個数は４個であるのが好ましい。４個の後群第２レンズ枠固定部を設けることにより、後群第２レンズ枠１２６を後群第１レンズ枠１２４に対して確実に固定することができる。
【００２５】
後群第２レンズ１１４ｂと、後群第３レンズ１１４ｃと、後群第４レンズ１１４ｄ、後群第５レンズ１１４ｅとを光軸１０２に対して垂直方向に移動させてシフト調整を行う場合に、調整部材１４０は、レンズ保持部１３０を光軸１０２に対して垂直方向に変形させた状態で、後群第２レンズ枠１２６の円周状斜面部１３６ａ〜１３６ｄに対してねじ締めして（セルフタップ）固定される。調整部材１４０は「六角穴付きビス」（いわゆる「イモビス」）であるのが好ましい。例えば、調整部材１４０は、Ｍ２．６の「六角穴付きビス」で構成することができる。或いは、調整部材１４０は、「小ねじ」で構成することもできる。調整部材１４０の中心軸線は、光軸１０２に対して平行になるように配置されるのがよい。
【００２６】
本発明では、後群第２レンズ枠１２６の円周上に斜面部の付いた溝（円周状窓部１３２）を設け、「六角穴付きビス」などを前記斜面部にねじ込むことによって、レンズ保持部１３０を外周固定部１３４に対して移動させるように構成される。この構成では、シフト調整のための特殊な治具が不要である。さらに、シフト調整の調整量は、ビス又はねじのピッチ（ねじ１回転で進む量）と、円周状斜面部１３６の斜面角度で決まるので、ビス又はねじを回転させた角度によりシフト量がわかる。
【００２７】
例えば、調整部材１４０を円周状斜面部１３６ａにねじ締めする（セルフタップ）ことによって、後群第２レンズ１１４ｂ、後群第３レンズ１１４ｃ、後群第４レンズ１１４ｄ、後群第５レンズ１１４ｅを、光軸１０２を基準として−Ｙ方向に移動させることができる。また、調整部材１４０を円周状斜面部１３６ｂに締め込むことによって、後群第２レンズ１１４ｂ、後群第３レンズ１１４ｃ、後群第４レンズ１１４ｄ、後群第５レンズ１１４ｅを、光軸１０２を基準として−Ｘ方向に移動させることができる。このような調整作業は、後群レンズのアッセンブリ状態で行うこともできるし、或いは、製品完成状態で行うこともできる。本発明の構成では、レンズ枠単体部品中でシフト調整が可能であり、レンズ枠を固定する相手部材に対してレンズ枠を完全に固定したままで、シフト調整が可能である。このため、レンズ枠を基準面に押し当てる構造物（コイルばね、ばね座金など）が不要になる。
【００２８】
さらに、２つの調整部材１４０を、それぞれ同時に円周状斜面部１３６ａ、１３６ｂに締め込むことによって、後群第２レンズ１１４ｂ、後群第３レンズ１１４ｃ、後群第４レンズ１１４ｄ、後群第５レンズ１１４ｅを、光軸１０２を基準として−Ｘ方向と−Ｙ方向との間の任意の方向に移動させることができる。後群第２レンズ１１４ｂ、後群第３レンズ１１４ｃ、後群第４レンズ１１４ｄ、後群第５レンズ１１４ｅを移動させる量は、調整部材１４０を円周状斜面部に締め込む程度によって、微細に調整することができる。本発明の構成により、図５に符号「ＳＨ」示すように、後群第２レンズ１１４ｂ、後群第３レンズ１１４ｃ、後群第４レンズ１１４ｄ、後群第５レンズ１１４ｅを、光軸１０２に対して垂直方向に微細に移動させて、シフト調整することができる。
【００２９】
（２）第２の実施形態：
次に、本発明の第２の実施形態を説明する。以下の説明は、本発明の第２の実施形態が本発明の第１の実施形態と異なる点を主に述べる。したがって、以下に記載がない個所は、前述した本発明の第１の実施形態についての説明をここに準用する。
【００３０】
図６を参照すると、撮像レンズ２００において、後群第２レンズ１１４ｂ、後群第３レンズ１１４ｃ、後群第４レンズ１１４ｄ、後群第５レンズ１１４ｅは後群第２レンズ枠２２６に固定される。後群第２レンズ枠２２６は、後群第２レンズ枠固定ねじ１２８によって後群第１レンズ枠１２４に固定される。図６から図１０を参照すると、後群第２レンズ枠２２６は、内周部に配置され、光軸１０２に対して垂直方向に変形可能なレンズ保持部２３０と、レンズ保持部２３０の外側に配置され、レンズ保持部２３０を変形させるための複数の円周状窓部２３２と、円周状窓部２３２の外側に配置された外周固定部２３４とを含んでいる。
【００３１】
後群第２レンズ枠２２６は、調整部材２４０を固定するための複数のねじ穴２３６を含む。ねじ穴２３６は、光軸１０２に対して垂直方向に外周固定部２３４を外周面から円周状窓部２３２まで貫通するように形成される。ねじ穴２３６は、例えば、それぞれ「雌ねじ」を形成した４個のねじ穴２３６ａ〜２３６ｄで構成することができる。４個のねじ穴２３６ａ〜２３６ｄは、それぞれＭ１．７の「雌ねじ」で構成することができる。また、４個のねじ穴２３６ａ〜２３６ｄは、それぞれの中心軸線が光軸１０２に対して垂直方向になるように形成されるのがよい。４個のねじ穴２３６ａ〜２３６ｄは、円周方向に等しい角度、すなわち９０度のピッチ間隔で配置されるのがよい。
【００３２】
円周状窓部２３２ａ〜２３２ｄは、調整部材２４０をねじ穴２３６ａ〜２３６ｄにねじ込んで、調整部材２４０の先端部によってレンズ保持部２３０の外側円筒面を内方に向って押すことにより、レンズ保持部２３０が光軸１０２に対して垂直方向に内方に向って変形することが可能な位置に配置される。ねじ穴２３６ａ〜２３６ｄは、調整部材２４０をねじ込むことにより、調整部材２４０の先端部によってレンズ保持部２３０が光軸１０２に対して垂直方向に内方に向って変形するような位置に配置される。
【００３３】
後群第２レンズ枠２２６を後群第１レンズ枠１２４に対して固定するための複数の後群第２レンズ枠固定部２３８が、円周状窓部２３２ａ〜２３２ｄの外側に設けられる。後群第２レンズ枠固定部は、例えば、４個の後群第２レンズ枠固定部２３８ａ〜２３８ｄで構成される。調整部材２４０を後群第２レンズ枠２２６に対して固定する位置は、円周方向において、１つの後群第２レンズ枠固定部と他の後群第２レンズ枠固定部との中間にあるのが好ましい。
【００３４】
後群第２レンズ１１４ｂと、後群第３レンズ１１４ｃと、後群第４レンズ１１４ｄ、後群第５レンズ１１４ｅとを光軸１０２に対して垂直方向に移動させてシフト調整を行う場合に、調整部材２４０は、レンズ保持部２３０を光軸１０２に対して垂直方向に変形させた状態で後群第２レンズ枠２２６のねじ穴２３６ａ〜２３６ｄに対してねじ締め固定される。調整部材２４０は、「すりわり付き止めねじ」であるのが好ましい。例えば、調整部材２４０は、Ｍ１．７の「すりわり付き止めねじ」で構成することができる。或いは、調整部材２４０は、「小ねじ」で構成することもできる。調整部材２４０の中心軸線は、光軸１０２に対して垂直になるように配置されるのが好ましい。この構成では、シフト調整の調整量は、ねじのピッチ（ねじ１回転で進む量）で決まるので、ねじを回転させた角度によりシフト量がわかる。
【００３５】
例えば、調整部材２４０をねじ穴２３６ａにねじ込むことによって、調整部材２４０の先端部がレンズ保持部２３０を光軸１０２に対して垂直方向に内方に向って変形させ、後群第２レンズ１１４ｂ、後群第３レンズ１１４ｃ、後群第４レンズ１１４ｄ、後群第５レンズ１１４ｅを、光軸１０２を基準として−Ｙ方向に移動させることができる。また、調整部材２４０をねじ穴２３６ｂにねじ込むことによって、調整部材２４０の先端部がレンズ保持部２３０を光軸１０２に対して垂直方向に内方に向って変形させ、後群第２レンズ１１４ｂ、後群第３レンズ１１４ｃ、後群第４レンズ１１４ｄ、後群第５レンズ１１４ｅを、光軸１０２を基準として−Ｘ方向に移動させることができる。このような調整作業は、後群レンズのアッセンブリ状態で行うことができる。
【００３６】
さらに、２つの調整部材２４０を、それぞれ同時にねじ穴２３６ａ、２３６ｂにねじ込むことによって、調整部材２４０の先端部がレンズ保持部２３０を光軸１０２に対して垂直方向に内方に向って変形させ、後群第２レンズ１１４ｂ、後群第３レンズ１１４ｃ、後群第４レンズ１１４ｄ、後群第５レンズ１１４ｅを、光軸１０２を基準として−Ｘ方向と−Ｙ方向との間の任意の方向に移動させることができる。後群第２レンズ１１４ｂ、後群第３レンズ１１４ｃ、後群第４レンズ１１４ｄ、後群第５レンズ１１４ｅを移動させる量は、調整部材２４０をねじ穴２３６に締め込む程度によって、微細に調整することができる。本発明の構成により、図１０に符号「ＳＨ」示すように、後群第２レンズ１１４ｂ、後群第３レンズ１１４ｃ、後群第４レンズ１１４ｄ、後群第５レンズ１１４ｅを、光軸１０２に対して垂直方向に微細にシフト調整することができる。
【産業上の利用可能性】
【００３７】
本発明の光学レンズは、微調整を容易に行うことができる。また、本発明の光学レンズにおいては、レンズをシフト調整する際に、専用治具は不要である。したがって、本発明により、簡易な光軸シフト調整機構を備えた光学レンズを製造することができる。
【図面の簡単な説明】
【００３８】
【図１】本発明の第１の実施形態において、撮像レンズの構造を示す断面図である。
【図２】本発明の第１の実施形態において、レンズ枠にビスを取り付ける前の状態における光軸シフト調整機構を示す部分断面図である。
【図３】本発明の第１の実施形態において、レンズ枠にビスを取り付ける前の状態における光軸シフト調整機構を示す背面図である。
【図４】本発明の第１の実施形態において、レンズ枠にビスを取り付ける前の状態におけるレンズ枠を示す部分断面図である。
【図５】本発明の第１の実施形態において、レンズ枠にビスを取り付けた状態における光軸シフト調整機構を示す部分断面図である。
【図６】本発明の第２の実施形態において、撮像レンズの構造を断面図である。
【図７】本発明の第２の実施形態において、レンズ枠にビスを取り付ける前の状態における光軸シフト調整機構を示す部分断面図である。
【図８】本発明の第２の実施形態において、レンズ枠にビスを取り付ける前の状態における光軸シフト調整機構を示す背面図である。
【図９】本発明の第２の実施形態において、レンズ枠にビスを取り付ける前の状態におけるレンズ枠を示す部分断面図である。
【図１０】本発明の第２の実施形態において、レンズ枠にビスを取り付けた状態における光軸シフト調整機構を示す部分断面図である。
【符号の説明】
【００３９】
１００  撮像レンズ
１０２  光軸
１０４  レンズ鏡筒
１１１  第１群レンズ系
１１２  第２群レンズ系
１１３  第３群レンズ系
１１４  第４群レンズ系
１２１  第１群レンズ枠
１２２  第２群レンズ枠
１２３  第３群レンズ枠
１２４  後群第１レンズ枠
１２６  後群第２レンズ枠
１２８  後群第２レンズ枠固定ねじ
１３０  レンズ保持部
１３２  円周状窓部
１３４  外周固定部
１３６  円周状斜面部
１４０  調整部材
２００  撮像レンズ
２２６  後群第２レンズ枠
２３０  レンズ保持部
２３２  円周状窓部
２３４  外周固定部
２３６  ねじ穴
２４０  調整部材
【図１】
2007298864.tif 000003
【図２】
2007298864.tif 000004
【図３】
2007298864.tif 000005
【図４】
2007298864.tif 000006
【図５】
2007298864.tif 000007
【図６】
2007298864.tif 000008
【図７】
2007298864.tif 000009
【図８】
2007298864.tif 000010
【図９】
2007298864.tif 000011
【図１０】
2007298864.tif 000012